(57)【要約】【課題】主に、排水口およびその周辺に、必要な時に、大きな清掃作業スペースを確保できるようにする。【解決手段】上面に開口部２を有し、側面に排水口３を有する有底円筒容器状の排水トラップ本体４と、排水トラップ本体４の内部に設けられた封水構造部５とを備え、封水構造部５が、排水トラップ本体４の底面６側から上方へ向けて延設された封水用外筒部７と、封水用外筒部７の内部に上方から挿入配置された排水導入用内筒部８とを備えて、排水トラップ本体４の側面と封水用外筒部７との間に排水用空間１１が形成されると共に、封水用外筒部７の内側に封水用空間１２が形成された排水トラップ構造であって、少なくとも封水用外筒部７が、排水トラップ本体４とは別部材にて構成され、封水用外筒部７が、メンテナンス時に、排水トラップ本体４の内部で、排水口３とは反対側へ退避可能に構成されるようにしている。【選択図】図１
2010090690.tif 000002
【特許請求の範囲】
【請求項１】
上面に開口部を有し、側面に排水口を有する有底円筒容器状の排水トラップ本体と、
該排水トラップ本体の内部に設けられた封水構造部とを備え、
該封水構造部が、排水トラップ本体の底面側から上方へ向けて延設された封水用外筒部と、封水用外筒部の内部に上方から挿入配置された排水導入用内筒部とを備えて、
前記排水トラップ本体の側面と封水用外筒部との間に排水用空間が形成されると共に、
前記封水用外筒部の内側に封水用空間が形成された排水トラップ構造において、
少なくとも前記封水用外筒部が、前記排水トラップ本体とは別部材にて構成され、
前記封水用外筒部が、メンテナンス時に、排水トラップ本体の内部で、前記排水口とは反対側へ退避可能に構成されたことを特徴とする排水トラップ構造。
【請求項２】
前記封水用外筒部が、部分円筒状周壁部と、切欠状面壁部とを有する切欠面付円筒形状を呈すると共に、
前記排水導入用内筒部が、部分円筒状周壁部と、切欠状面壁部とを有する切欠面付円筒形状を呈し、
前記封水用外筒部と前記排水導入用内筒部とが、前記各切欠状面壁部を前記排水口へ向けて周方向の位置を合わせた状態で二重に配置されたことを特徴とする請求項１記載の排水トラップ構造。
【請求項３】
前記排水トラップ本体の底面に、上方に凸形状の安定用座部が設けられると共に、
前記封水用外筒部に、底壁部が設けられて、該底壁部に、前記安定用座部と対応する、上方に凸形状の安定用座部が設けられ、
前記両安定用座部を合致させることにより、前記排水トラップ本体の底面に封水用外筒部の底壁部が安定設置可能となるように構成されていることを特徴とする請求項１または請求項２記載の排水トラップ構造。
【請求項４】
前記排水トラップ本体上面の開口部に対して蓋部材が着脱可能に設けられ、
該蓋部材が、排水を導入可能な排水通過部を有すると共に、
該排水通過部に、金網を設置可能な金網設置部が設けられたことを特徴とする請求項１ないし請求項３のいずれか１項に記載の排水トラップ構造。
【発明の詳細な説明】
【技術分野】
【０００１】
この発明は、排水トラップ構造に関するものである。
【背景技術】
【０００２】
近年、集合住宅では、オール電化設備の普及が進んでおり、その給湯方式として、ＣＯ2冷媒ヒートポンプ給湯機や、潜熱回収型給湯機の普及が進んでいる。これらの給湯機は、温水を貯留する温水タンクを備えている。そして、メンテナンス時などに温水タンク内の温水を湯抜きできるようにするための排水設備が設置される。このような排水設備は、その入側に排水トラップを備えている。この排水トラップは、好ましくは、温水タンクの下方に設けられる。
【０００３】
一般に、排水トラップは、上面に開口部を有し、側面に排水口を有する有底円筒容器状の排水トラップ本体と、この排水トラップ本体の内部に設けられた封水構造部とを備えている。
【０００４】
この封水構造部には、排水トラップ本体の底面から上方へ向けて延設された封水用外筒部と、封水用外筒部の内部に上方から挿入配置された排水導入用内筒部とを備えたものが存在している。この場合、排水トラップ本体の側面と封水用外筒部との間には排水用空間が形成され、封水用外筒部の内側には封水用空間が形成されることになる。
【０００５】
このような排水トラップには、例えば、特許文献１に示すようなものが存在している。特許文献１の排水トラップでは、封水用外筒部は、排水トラップ本体の底面から一体に延設されている。また、封水用外筒部は、部分円筒状周壁部と、切欠状面壁部とを有する切欠面付円筒形状を呈している。この封水用外筒部は、切欠状面壁部を、排水口へ向けた状態で設置されている。これに対し、排水導入用内筒部は、円筒状周壁部を有する円筒形状を呈している。
【０００６】
このような構成によれば、封水用外筒部の排水口に面した部分に切欠状面壁部を設けて、切欠状面壁部の分だけ排水口と切欠状面壁部との間のスペースを拡大することによって、排水口の周辺の清掃などを容易化することができるようにしている。
【特許文献１】実公平３−５２８５８号公報
【発明の開示】
【発明が解決しようとする課題】
【０００７】
しかしながら、上記特許文献１に記載された排水トラップ構造では、封水用外筒部が、排水トラップ本体の底面に一体化（固定）されているため、封水用外筒部に切欠状面壁部を設けたとしても、切欠状面壁部の切欠可能量には限度があるため、それだけでは、排水口と切欠状面壁部との間に十分なスペース（清掃作業スペース）を確保するのが難しかった。
【０００８】
また、切欠面付円筒形状をした封水用外筒部の内部に、円筒形状の排水導入用内筒部を設置するようにしているので、両者間の間隙を、周方向に一定にすることができなくなってしまう。そのため、上記した間隙が狭くなっている部分（封水用外筒部の切欠状面壁部と、排水導入用内筒部との間の部分）で、排水の流れが悪化するおそれがある。
【０００９】
これに対し、上記した間隙が狭くなっている部分を拡げて、排水の流れの部分的な悪化を解消しようとすると、例えば、封水用外筒部や排水トラップ本体を大径化したり、反対に、排水導入用内筒部を小径化したりするなどの対策が必要になる。しかし、このようにした場合、他の部分の間隙が最適値よりも広くなり過ぎてしまうと共に、封水用外筒部や排水トラップ本体の大径化によって、排水トラップ全体の大型化を招いたり、排水導入用内筒部の小径化によって、排水トラップに対する排水流入量（または排水処理量）が低下したりすることになる。よって、排水トラップは、全体のバランスが崩れて非効率的なものとなってしまうおそれがある。
【課題を解決するための手段】
【００１０】
上記課題を解決するために、請求項１に記載された発明は、上面に開口部を有し、側面に排水口を有する有底円筒容器状の排水トラップ本体と、該排水トラップ本体の内部に設けられた封水構造部とを備え、該封水構造部が、排水トラップ本体の底面側から上方へ向けて延設された封水用外筒部と、封水用外筒部の内部に上方から挿入配置された排水導入用内筒部とを備えて、前記排水トラップ本体の側面と封水用外筒部との間に排水用空間が形成されると共に、前記封水用外筒部の内側に封水用空間が形成された排水トラップ構造において、少なくとも前記封水用外筒部が、前記排水トラップ本体とは別部材にて構成され、前記封水用外筒部が、メンテナンス時に、排水トラップ本体の内部で、前記排水口とは反対側へ退避可能に構成されたことを特徴としている。
【００１１】
請求項２に記載された発明は、上記において、前記封水用外筒部が、部分円筒状周壁部と、切欠状面壁部とを有する切欠面付円筒形状を呈すると共に、前記排水導入用内筒部が、部分円筒状周壁部と、切欠状面壁部とを有する切欠面付円筒形状を呈し、前記封水用外筒部と前記排水導入用内筒部とが、前記各切欠状面壁部を前記排水口へ向けて周方向の位置を合わせた状態で二重に配置されたことを特徴としている。
【００１２】
請求項３に記載された発明は、上記において、前記排水トラップ本体の底面に、上方に凸形状の安定用座部が設けられると共に、前記封水用外筒部に、底壁部が設けられて、該底壁部に、前記安定用座部と対応する、上方に凸形状の安定用座部が設けられ、前記両安定用座部を合致させることにより、前記排水トラップ本体の底面に封水用外筒部の底壁部が安定設置可能となるように構成されていることを特徴としている。
【００１３】
請求項４に記載された発明は、上記において、前記排水トラップ本体上面の開口部に対して蓋部材が着脱可能に設けられ、該蓋部材が、排水を導入可能な排水通過部を有すると共に、該排水通過部に、金網を設置可能な金網設置部が設けられたことを特徴としている。
【発明の効果】
【００１４】
請求項１の発明によれば、上記構成によって、以下のような作用効果を得ることができる。即ち、排水トラップ本体とは別部材にて構成された封水用外筒部を、メンテナンス時に、排水トラップ本体の内部で、排水口とは反対側へ退避させられるようにすることにより、排水口と封水用外筒部との間に十分大きな清掃作業スペースを確保することが可能となり、以て、排水口およびその周辺の清掃を容易化することができる。この際、排水トラップ本体から封水用外筒部や、封水用外筒部の内側の排水導入用内筒部を取外すことなく、排水口およびその周辺の清掃を行うことが可能である。
【００１５】
請求項２の発明によれば、上記構成によって、以下のような作用効果を得ることができる。即ち、封水用外筒部を、部分円筒状周壁部と、切欠状面壁部とを有する切欠面付円筒形状として、切欠状面壁部が排水口へ向いた状態で配置することにより、排水口と切欠状面壁部との間に、切欠状面壁部の分の清掃作業スペースを確保して、排水口の周辺の清掃を容易化することができる。加えて、共に切欠面付円筒形状を有する封水用外筒部と排水導入用内筒部とを、各切欠状面壁部が排水口へ向くと共に周方向の位置が合った状態で二重に配置することにより、メンテナンスのために封水用外筒部を退避させる際に、封水用外筒部が排水導入用内筒部に干渉して相互拘束を起こすようなことが発生し難くなるため、また、封水用外筒部の内側における排水導入用内筒部の可動範囲が拡がるため、退避時の封水用外筒部や排水導入用内筒部の取扱いを容易化して、排水口およびその周辺の清掃を、より一層容易化することができるようになる。そして、封水用外筒部と排水導入用内筒部とを、各切欠状面壁部が排水口へ向くと共に周方向の位置が合った状態で二重に配置することにより、両者間の間隙を周方向にほぼ一定で且つ最適な大きさとすることが可能となるため、部分的な排水の流れの悪化を防止すると共に、両者間の間隙を周方向にほぼ一定にするために、封水用外筒部や排水トラップ本体を大径化したり、または、排水導入用内筒部を小径化したりするなどの必要がなくなるので、排水トラップを効率的でバランスの良いものとすることができる。
【００１６】
請求項３の発明によれば、上記構成によって、以下のような作用効果を得ることができる。即ち、排水トラップ本体の底面に設けた安定用座部によって、排水トラップ本体を安定して設置することができる。また、排水トラップ本体の底面に設けた安定用座部に、封水用外筒部の底壁部に設けた安定用座部を合致させることにより、排水トラップ本体の底面の上に封水用外筒部を安定設置することができる。
【００１７】
請求項４の発明によれば、上記構成によって、以下のような作用効果を得ることができる。即ち、排水トラップ本体は、上面の開口部に対して蓋部材を着脱可能に取付けることができる。この蓋部材は、排水通過部を通して排水トラップ本体の内部に排水を導入するように機能する。更に、必要な場合に、排水通過部に設けられた金網設置部に金網を設置することによって、排水通過部からのゴミなどの侵入を積極的に防止することができるようになる。
【発明を実施するための最良の形態】
【００１８】
本発明は、主に、排水口およびその周辺に、必要な時に、大きな清掃作業スペースを確保できるようにすることを目的としている。
【実施例１】
【００１９】
図１〜図１４は、この発明の第１の実施例を示すものである。
【００２０】
＜構成＞まず、構成について説明する。
【００２１】
この発明の排水トラップは、好ましくは、温水タンク排水口の下方（真下）に設けられる。このように、温水タンクの排水口の下方に設けられるため、排水トラップは、メンテナンスのために分解したり、作業員が目視作業を行うことが難しい状況に置かれることになる。
【００２２】
そして、上記した排水トラップは、以下のような構成を備えている。
【００２３】
即ち、図１に示すように、排水トラップ１は、上面に開口部２を有し、側面に排水口３を有する有底円筒容器状の排水トラップ本体４と、この排水トラップ本体４の内部に設けられた封水構造部５とを備えている。
【００２４】
封水構造部５は、排水トラップ本体４の底面６側から上方へ向けて延設された封水用外筒部７と、封水用外筒部７の内部に上方から挿入配置された排水導入用内筒部８とを備えている。そして、これらの構成により、排水トラップ本体４の内部には、排水トラップ本体４の側面と封水用外筒部７との間に排水用空間１１が形成され、封水用外筒部７の内側に封水用空間１２が形成されることになる。
【００２５】
なお、上記以外の基本構成は、図示の通りであるが、以下に、若干の説明をする。
【００２６】
まず、排水トラップ本体４は、図２〜図５に示されるようなものとされている（主に図２を参照のこと）。排水トラップ本体４は、上記した側面が、円筒状壁部１５とされている。この円筒状壁部１５は、下側のほとんどの部分が、その内部に、上記した排水用空間１１及び封水用空間１２を形成する容器部１６によって構成されている。よって、以下、容器部１６を、単に円筒状壁部１５と言う場合がある。
【００２７】
この容器部１６の上部には、下側から順に、中間取付部１７（内筒取付部）と、上部取付部１８（蓋取付部）とが、形成されている。これらは、好ましくは、後述するように、同心状に設けられる。中間取付部１７と、上部取付部１８とは、上記した容器部１６に対して、径寸法（主に内径寸法）が順次大きくなるように構成されている。なお、容器部１６と、中間取付部１７と、上部取付部１８とは、それぞれの機能を果たすのに必要な（一定の）高さ寸法に構成されている。
【００２８】
上記した排水口３は、円筒状壁部１５の容器部１６の部分に（少なくとも）１箇所開口形成されている。排水口３は、容器部１６の高さ方向の中央部よりも若干上寄りの位置に設けられている。排水口３の周囲には、図示しない排水管を、嵌着、接続可能な排水管接続口１９が設けられている。この排水管接続口１９は、円筒状壁部１５の外周面から半径方向の外方へ向けて一体に突設されている。排水口３は、排水管の内径と等しい口径を有し、排水管接続口１９は、排水管の外径と等しい内径を有するように構成されている。
【００２９】
そして、排水トラップ１は、上記した排水トラップ本体４の軸線２１を、ほぼ上下方向へ向けた状態で、温水タンクの下面と設置床との間の、高さ約２０ｃｍ位、または、それよりも低い、極く狭い空間に設置される。この際、排水トラップ１は、排水トラップ本体４の排水管接続口１９が、温水タンクの外方へ向かうように設置される。そして、排水管は、排水を流下可能な所要の排水勾配を有して設置される。
【００３０】
また、図１に示すように、上記した封水構造部５は、排水トラップ本体４の内部に収容されるため、排水トラップ本体４よりも小径に構成される。そして、排水トラップ本体４の内部で、封水構造部５の外側に形成される排水用空間１１は、排水口３の下縁部に達するまでは排水を貯留すると共に、排水口３の下縁部を越えた排水を上記した図示しない排水管を通して流下させるように機能するものとして構成されている。
【００３１】
これに対し、封水構造部５の内側に形成される封水用空間１２は、封水構造部５を構成する封水用外筒部７の上端部に達するまでは排水を貯留すると共に、封水用外部の上端部を越えた排水を排水用空間１１へとオーバーフローさせるように機能するものとして構成されている。そして、この封水構造部５に貯留された水によって、排水口３と、排水導入用内筒部８の入口部との間の封水シールが行われるように構成されている。
【００３２】
ここで、封水構造部５を構成する封水用外筒部７は、図６、図７に示されるようなものとされている（主に図６を参照のこと）。そして、上記したような封水構造部５としての機能が得られるようにするために、図１に示すように、封水用外筒部７の上端部は、排水口３の下縁部よりも高くなり、排水トラップ本体４の上面の開口部２よりも低くなるように設定されている。この場合には、封水用外筒部７の上端部は、排水口３の上縁部よりも低くなるように設定されている。
【００３３】
また、封水構造部５を構成する排水導入用内筒部８は、図８、図９に示されるようなものとされている（主に図８を参照のこと）。この排水導入用内筒部８は、排水トラップ本体４に対して固定されるようにする必要がある。そのために、排水導入用内筒部８の上部には、逆円錐筒状の集水部２５と、ほぼ水平なフランジ状の本体取付部２６とが、下から順に設けられている。これらにより、排水導入用内筒部８は、漏斗状をした一体の内筒部材２７の一部として構成される。そして、排水導入用内筒部８は、図１に示すように、上端側の本体取付部２６が、主に、排水トラップ本体４の中間取付部１７の内側に形成された中間段差部２８に対して上方から嵌合されることにより、下方に対して係止されるようになっている。
【００３４】
また、上記した本体取付部２６の下面側と、中間段差部２８の段下面との間には、環状のシール部材２９が介在されるようになっている。そのために、本体取付部２６は、中間段差部２８に対して嵌合可能な部分（大径部分）の下方に、容器部１６に対して嵌合可能な部分（小径部分）を有する段付形状を有しており、大径部分と小径部分との間の段差部を利用して、周方向へ延びるシール設置用段差部３１が形成されるようになっている。そして、このシール設置用段差部３１に対し、シール部材２９が、圧縮状態で介在されるようになっている。そのために、上記した中間段差部２８は、本体取付部２６の大径部分の高さ寸法と、シール部材２９の肉厚との和よりも若干高さ寸法が小さくなるように形成されている。なお、シール部材２９には、Ｏリングやゴムパッキンなどのよく知られたものを使用することができる。この場合、本体取付部２６は、シール設置用段差部３１を形成するために、大径部分と小径部分とを設けた分だけ、排水導入用内筒部８の他の部分よりも厚肉に形成されている。
【００３５】
そして、上記した封水用外筒部７と排水導入用内筒部８との関係について説明すると、封水用外筒部７の内部に排水導入用内筒部８を挿入配置し得るようにするために、封水用外筒部７は、排水導入用内筒部８よりも大径に構成されると共に、封水用外筒部７の内周面と、排水導入用内筒部８の外周面との間には、半径方向に対して所要の間隙３２が形成される。
【００３６】
一方、排水導入用内筒部８の下端部は、排水トラップ本体４の底面６や、後述する封水用外筒部７の底壁部３３などと接することのないように、これらに対して軸線方向（軸線２１）に所要の連通用隙間３４を有して離間配置されている。この連通用隙間３４は、封水用外筒部７と排水導入用内筒部８との間の間隙３２とほぼ同程度か、または、それ以下の大きさのものとされている。
【００３７】
このような構成により、封水用空間１２は、封水用外筒部７と排水導入用内筒部８との間隙３２の部分に出側封水部３５を有し、排水導入用内筒部８の内側に入側封水部３６を有して、出側封水部３５と入側封水部３６とが、下側の連通用隙間３４の部分で連通されたものとなる。
【００３８】
また、排水導入用内筒部８の上端部（集水部２５の下端部との境界部分）は、上記した間隙３２が狭くならないように、封水用外筒部７の上端部とほぼ同じかそれよりも若干高い位置に設定され、排水導入用内筒部８の上部の集水部２５と、本体取付部２６とは、排水トラップ本体４の内部の、封水用外筒部７の上端部よりも上方の空間内に、排水用空間１１の上方に拡がった状態で、収容配置されるように設定されている。
【００３９】
なお、排水トラップ１を構成する各部品（排水トラップ本体４、封水用外筒部７、排水導入用内筒部８、後述する蓋部材３８など）は、それぞれ樹脂成形品によって構成されている。
【００４０】
そして、以上のような基本構成に対し、この実施例のものでは、以下のような構成を備えるようにしている。
【００４１】
（１）少なくとも封水用外筒部７を、排水トラップ本体４とは別部材にて構成する。そして、封水用外筒部７が、メンテナンス時に、排水トラップ本体４の内部で、排水口３とは反対側へ退避可能となるように構成する。
【００４２】
即ち、排水トラップ本体４と封水用外筒部７とを部品分割して、排水トラップ本体４を、封水用外筒非設置型排水トラップ本体とすると共に、封水用外筒部７を、本体別体型封水用外筒部とする。そして、この本体別体型封水用外筒部を、退避可能型封水用外筒部とする。これにより、排水トラップ１が、排水トラップ本体４から、封水用外筒部７や排水導入用内筒部８などを取外さないままの状態で、排水口３と封水用外筒部７との間に、大きな清掃作業スペースを確保し得るような、非分解型清掃可能構造（または非分解型清掃容易構造）を持つものとされる（もちろん分解して清掃することも可能である）。
【００４３】
そのために、まず、使用時に封水用外筒部７を排水トラップ本体４の内部の所定のセット位置に位置決め保持可能な外筒保持部４１が設けられる。この外筒保持部４１は、排水トラップ本体４と封水用外筒部７との間に設けられる。
【００４４】
この場合、外筒保持部４１は、排水トラップ本体４の内部における、底面６（の上面）と、円筒状壁部１５（の内周面）との間のコーナー部分に突設形成された保持用リブ４２などとされている。この保持用リブ４２は、排水トラップ本体４のほぼ中心へ向けて（半径方向に）延設される。この保持用リブ４２は、半径方向に対しては、排水トラップ本体４の内周面と外筒保持部４１の外周面との間のクリアランス４３と等しい長さを有している。
【００４５】
そして、この保持用リブ４２は、排水トラップ本体４の軸線２１に沿ってほぼ上下方向に延設されている。この保持用リブ４２は、封水用外筒部７の側面に対して当接保持可能な側面保持部４４を備えている。この側面保持部４４は、封水用外筒部７の外周面に当接し、半径方向に対して係止保持可能なものとされている。この側面保持部４４は、排水トラップ本体４の軸線２１と平行な方向へ延びる平行部４５とされている。なお、この側面保持部４４は、余り高いと封水用外筒部７を退避させる際に、封水用外筒部７の持上げ量が大きくなってしまうので、上下方向に対して余り高くならないようにするのが好ましい。この場合には、封水用外筒部７を保持できる最低限の高さに設定されている。より具体的には、側面保持部４４は、封水用外筒部７の一般的な部分（例えば、後述する底壁部３３など）の肉厚などとほぼ等しい高さなどとされている。
【００４６】
そして、上記した外筒保持部４１の少なくとも一部が、メンテナンス時に封水用外筒部７を、上記した所定のセット位置から退避可能な退避可能保持部４６となるようにする。
【００４７】
そのために、上記した保持用リブ４２の側面保持部４４の上方に、取付時には、封水用外筒部７を上記した所定のセット位置へと案内すると共に、退避時には、封水用外筒部７を退避方向へ向けて案内可能なガイド部４７が設けられる。
【００４８】
このガイド部４７は、上方へ進むに従い排水トラップ本体４の外方へ向かう傾斜部４８とされている。特に、少なくとも、封水用外筒部７の退避方向に位置する保持用リブ４２のガイド部４７については、封水用外筒部７の初期退避量をより大きく確保できるようにするために、ガイド部４７の傾斜部４８を、内方は傾斜角度が緩く、外方へ進むに従い傾斜角度が急になる傾斜曲線状部４９としている。
【００４９】
より具体的には、上記した保持用リブ４２は、最も効率的な配置として、図３に示すように、排水口３の中心５１の位置を基準として、排水トラップ本体４の周方向に９０度の位相を有して周方向に３箇所設けられている。この場合、封水用外筒部７の退避方向は、排水トラップ本体４の、排水口３とは、１８０度反対側の位置へ向かう方向に設定されている。そして、排水口３の中心５１から排水トラップ本体４の周方向に９０度と２７０度の位置に存する保持用リブ４２の側面保持部４４は、退避方向と直交する半径方向に対して封水用外筒部７を保持するものとされる。また、排水口３の中心５１から排水トラップ本体４の周方向に１８０度の位置に存する保持用リブ４２の側面保持部４４は、退避方向に対して封水用外筒部７を保持するものとされる。
【００５０】
なお、排水口３の部分については、退避方向と反対の半径方向に対して封水用外筒部７を位置決め保持するための外筒保持部４１が必要となる。そのために、上記した保持用リブ４２と同様のものを設けることも構造的に可能ではあるが、リブサイズが大きくなったり、清掃作業の妨げとなったりするなどのおそれがある。よって、このような問題が生じないように、この場合には、上記とは別の外筒保持部４１として、封水用外筒部７の下部に、排水トラップ本体４の底面６に沿って排水口３の側へ向かう外方延長部５３を設けて、この外方延長部５３と排水トラップ本体４との間で、上記した退避方向とは反対の半径方向の位置決め保持を行わせ得るように構成している。この外方延長部５３は、図７に示すように、封水用外筒部７の外径と等しい幅寸法を有すると共に、先端部に排水トラップ本体４の内周面と合致する円弧状の縁部を有するものとされている。
【００５１】
（２）上記において、封水用外筒部７が、部分円筒状周壁部５５と、（少なくとも一つの）切欠状面壁部５６とを有する切欠面付円筒形状を呈するものとされる（切欠面付円筒体）。同様に、排水導入用内筒部８が、部分円筒状周壁部５７と、（少なくとも一つの）切欠状面壁部５８とを有する切欠面付円筒形状を呈するものとされる（切欠面付円筒体）。そして、封水用外筒部７と排水導入用内筒部８とが、各切欠状面壁部５６，５８を排水口３へ向けて周方向の位置を合わせた状態で二重に配置されている。
【００５２】
ここで、封水用外筒部７と排水導入用内筒部８とは、それぞれ、部分円筒状周壁部５５，５７と切欠状面壁部５６，５８とが、周方向に切れ目なく連続されている。封水用外筒部７と排水導入用内筒部８とは、排水トラップ本体４に対して同心状に配置されるのが、最もコンパクトで合理的な構造となるので、この場合も、そのように構成されている。よって、上記した封水用外筒部７の所定のセット位置は、この同心状配置によって定められることになる。また、上記したクリアランス４３は、排水トラップ本体４の内周面と、外筒保持部４１の部分円筒状周壁部５５の外周面との間にできるものとする。
【００５３】
そして、上記した両切欠状面壁部５６，５８は、封水用外筒部７および排水導入用内筒部８の軸線２１の延長方向（軸線方向）へ向けて延設形成されている。また、両切欠状面壁部５６，５８は、排水口３の中心５１（中心線）に対してほぼ面直な方向へ向き、互いに平行となる面として形成されている。
【００５４】
更に、封水用外筒部７と排水導入用内筒部８との間隙３２が、全体として、周方向にほぼ均一で且つ最適なものとなるように、上記した切欠状面壁部５６の切欠量６０や、切欠状面壁部５８の切欠量が設定される。即ち、両切欠状面壁部５６，５８の間隙３２が、両部分円筒状周壁部５５，５７の間隙３２とほぼ等しくなるように、両切欠状面壁部５６，５８が設定される。
【００５５】
なお、切欠状面壁部５６の切欠量６０は、半径方向の最大値で示している。また、排水導入用内筒部８に切欠状面壁部５８が設けられることに伴い、排水導入用内筒部８の集水部２５には、切欠状面壁部５８と対応する上側の部分の形状を調整するための平坦な切欠面部５９が形成されることになる。
【００５６】
また、切欠面付円筒形状とすることによって、排水導入用内筒部８が、周方向に不均等な形状となったことに伴い、排水トラップ本体４と排水導入用内筒部８との間には、周方向に対する位置決めを行わせるための周方向位置決め部６１が設けられる。この周方向位置決め部６１は、図８、図９に示すように、排水導入用内筒部８の本体取付部２６から少なくとも半径方向へ向けて突設された位置決め突起６２を有している。これに対し、排水トラップ本体４の中間取付部１７（の内側の中間段差部２８）や上部段差部８１には、図２、図３に示すように、周方向位置決め部６１として、位置決め突起６２を受けることによって周方向の位置決めが可能な突起受部６３が設けられる。この周方向位置決め部６１を構成する位置決め突起６２と突起受部６３とは、この場合、上記した排水口３とは反対側の位置（退避方向の位置）に少なくとも１箇所設けられている。また、内側の中間段差部２８などに突起受部６３を凹設形成したことに伴い、中間取付部１７における突起受部６３を設けた部分の外側は、必要な強度を有することができるように、部分的に外方へ突出するような形状に構成されている（補強用の外方突出形状部）。
【００５７】
（３）上記において、図１に示すように、排水トラップ本体４の底面６に、上方に凸形状の安定用座部６５が設けられる。一方、封水用外筒部７には、底壁部３３が設けられる。この底壁部３３に、安定用座部６５と対応する、上方に凸形状の安定用座部６６が設けられる。そして、両安定用座部６５，６６を合致させることにより、排水トラップ本体４の底面６に封水用外筒部７の底壁部３３が安定設置可能となるように構成する。
【００５８】
即ち、排水トラップ本体４の底面６と、封水用外筒部７の底壁部３３との間に、安定設置構造部が設けられるようにする。
【００５９】
ここで、封水用外筒部７の底壁部３３は、排水トラップ本体４の底面６の上に直接当接配置可能なものとされる。封水用外筒部７の底壁部３３は、封水用外筒部７の底面６を閉口して排水受容器を構成可能な筒端閉口部６７を有している。また、上記した外方延長部５３も封水用外筒部７の底壁部３３の一部とされる。この封水用外筒部７の底壁部３３は、図７に示すように、全体として、平面視で、退避方向とその反対方向に、曲率半径が異なる曲線状の縁部を有すると共に、退避方向と直交する方向の両側に平行な縁部を有する、変形した小判型のものなどとなる。これらの底壁部３３と封水用外筒部７とによって、一体の外筒部材６８が構成されている。
【００６０】
そして、図１に示すように、排水トラップ本体４の底面６の安定用座部６５と、封水用外筒部７の底壁部３３の安定用座部６６とは、互いの位置を合わせた状態で、相互に隙間無く嵌り合い、重なり合うような位置、形状および大きさとなるように構成される。なお、両安定用座部６５，６６は、それ自体で排水トラップ本体４と封水用外筒部７との間の位置決め部として機能するものとなり得ると共に、外筒保持部４１をより小型化するために、外筒保持部４１を補助し得るものともなる（補助外筒保持部）。
【００６１】
更に、これらの両安定用座部６５，６６は、どのような形状としても良いが、好ましくは、排水トラップ１の基本的な機能に影響を与えないようにするため、封水用外筒部７の内側部分に納まるような大きさに形成される。この場合には、両安定用座部６５，６６は、排水トラップ本体４の中心（軸線２１の位置）から、封水用外筒部７の切欠状面壁部５６までの最短距離の長さまたはそれ以下の長さの半径を有する円形状の範囲に、部分球面状のものとして設けられている。この部分球面状の両安定用座部６５，６６は、それぞれ、排水トラップ本体４の底面６および封水用外筒部７の底壁部３３の肉厚程度分だけ上方へ突出した大きさのものなどとされている。この両安定用座部６５，６６の高さは、側面保持部４４の平行部４５の高さとほぼ同じである。
【００６２】
また、この部分球面状の両安定用座部６５，６６は、それぞれ、排水トラップ本体４の底面６および封水用外筒部７の底壁部３３の肉厚とほぼ同じ肉厚に形成されることにより、両安定用座部６５，６６の下面側が凹部とされている。好ましくは、これらの凹部の位置に、排水トラップ本体４および封水用外筒部７を射出成形する際の注入ゲートを設けて、注入ゲートが外部から目立たないようにする。
【００６３】
（４）上記において、排水トラップ本体４上面の開口部２に対して着脱可能な蓋部材３８を設ける。この蓋部材３８は、外部から排水を導入可能な排水通過部７１を有している。そして、排水通過部７１に、金網７２を設置可能な金網設置部７３が設けられる。
【００６４】
ここで、蓋部材３８は、図１０〜図１４に示されるようなものとされている。この蓋部材３８は、全体として、円板状を呈している。より詳しくは、蓋部材３８は、環状の外枠部７４と、この外枠部７４の内側に設けられた桟状部分７５とを備えている。この場合、桟状部分７５は、少なくとも１本の環状桟部７６と、この環状桟部７６と外枠部７４との間、または、環状桟部７６が複数本有る場合には、複数本の環状桟部７６の間を連結する複数の放射状桟部７７とを有している。排水通過部７１は、この桟状部分７５の間に形成された貫通孔として形成される。
【００６５】
より具体的には、この場合、桟状部分７５は、大小二重の環状桟部７６と、この二重の環状桟部７６間に周方向に均等な間隔を有して架設された６本の放射状桟部７７とで構成されている。また、排水通過部７１は、小径の環状桟部７６の内側に１個の円形状のものと、大小二重の環状桟部７６の間に放射状桟部７７によって仕切られた６個の円弧状（または扇形）のものとが形成されている。小径の環状桟部７６は、排水導入用内筒部８とほぼ等しい大きさのものとされ、大径の環状桟部７６は、外枠部７４に一体化されている。外枠部７４および複数の環状桟部７６は、同心状に形成されている。なお、環状桟部７６および放射状桟部７７の数については、これに限るものではない。また、桟状部分７５は、これに限らず、格子状などとすることもできる。
【００６６】
また、金網設置部７３は、例えば、蓋部材３８に設けられる。この実施例の場合、金網設置部７３は、蓋部材３８の上面側に設けられている。より具体的には、金網設置部７３は、桟状部分７５の上側の部分に形成される。この金網設置部７３は、桟状部分７５の上面部分に形成されて、外枠部７４の上面よりも一段低くされた金網設置用段差部７８などとして構成されている。この金網設置用段差部７８は、外枠部７４の上面に対して、金網７２の厚さ寸法程度分だけ低い段差量を有して形成されている。これ（金網設置用段差部７８）に対応させて、金網７２は、桟状部分７５全体とほぼ等しいかそれよりも一回り大きい面形状を有するものなどとされている。これにより、金網７２は、必要な場合に、金網設置用段差部７８に上方から設置（載置・嵌合）すれば良いものとされる。
【００６７】
そして、上記した円板状の蓋部材３８は、排水トラップ本体４の上部取付部１８の内側に形成された上部段差部８１に対して上方から嵌合されることにより、下方に対して係止されるようになっている。なお、上部段差部８１に取付けられることにより、蓋部材３８は、排水トラップ本体４などと同心状に設置されることとなる。
【００６８】
更に、蓋部材３８を、排水導入用内筒部８およびシール部材２９に対する押え部材として機能させ得るようにする。そのために、蓋部材３８と上部段差部８１との間には、蓋部材３８を固定するためのロック機構部８２が設けられる。このロック機構部８２は、雄ネジ部と雌ネジ部とを有するネジ機構などとしても良いが、この場合には、蓋部材３８を所要角度だけ回転させることによって簡単にロックが掛かるようにした簡易ロック機構としている。
【００６９】
この簡易ロック機構（ロック機構部８２）は、上部段差部８１の段差側面から内方へ向けて一体に突設されたロック用爪部８４（図２、図３など参照のこと）と、このロック用爪部８４に対応させて蓋部材３８（の外枠部７４）の外周部に形成された爪案内部８５とを有している。
【００７０】
この場合、ロック用爪部８４は、周方向へ延びる突条などとされている。また、爪案内部８５は、ロック用爪部８４を収容可能な溝形状とされている。この溝形状の爪案内部８５は、例えば、蓋部材３８の下面側に達して上方からロック用爪部８４を収容可能な縦方向案内部８６と、縦方向案内部８６の上端部から蓋部材３８の外周部に沿って、周方向へ所要の角度分だけ延びる横方向案内部８７とを有している。この場合、縦方向案内部８６は縦溝部とされ、横方向案内部８７は横溝部とされている。縦方向案内部８６の上端部は、蓋部材３８の上面側に達しないように設定されている。縦方向案内部８６と横方向案内部８７の、溝幅および溝深さは、それぞれロック用爪部８４の形状に合うように構成されている。この横方向案内部８７は、上記したシール部材２９を、圧縮状態に締め込み得るようにするために（シール圧縮機構）、緩い上がり勾配を有している（勾配付き横溝）。
【００７１】
より具体的には、このロック機構部８２は、周方向に９０度以下の位相を有して４箇所設けられている。特に、ロック用爪部８４は、上記した保持用リブ４２と、上下方向に重ならないようにするために、周方向に位相をズラせて（この場合には４５度ズラせて）設けられている。横方向案内部８７は、周方向に９０度以下の範囲の部分に形成されている。但し、ロック機構部８２の設置箇所および、設置個数などについては、これに限るものではない。
【００７２】
なお、蓋部材３８は、外枠部７４の外周面に爪案内部８５を形成したり、桟状部分７５の上方に金網設置用段差部７８を設けたりするのに必要な分の肉厚を有するように、全体として厚肉に構成されている。これに対し、排水トラップ本体４の上部取付部１８の内側に形成された上部段差部８１は、軸線２１の延長方向の寸法が、蓋部材３８の肉厚よりも若干高くなるように構成されている。これにより、蓋部材３８の上面は、排水トラップ本体４の上面の開口部２よりも僅かに低くなるように取付けられることになる。
【００７３】
＜作用＞次に、この実施例の作用について説明する。
【００７４】
（排水トラップ１の組み立て）  まず、図１に示すように、排水トラップ１を組み立てる。即ち、排水トラップ本体４の内部に、封水用外筒部７（外筒部材６８）と排水導入用内筒部８（内筒部材２７）とを上方から挿入配置し、排水トラップ本体４の上面の開口部２に蓋部材３８を取付けるようにする。
【００７５】
排水トラップ本体４の内部に、封水用外筒部７を挿入配置する際には、まず、排水トラップ本体４の底面６の上に、封水用外筒部７の底壁部３３を当接配置させるようにする。すると、排水トラップ本体４の底面６に設けた安定用座部６５に、外筒部材６８の底壁部３３に設けた安定用座部６６が嵌合、合致されることにより、排水トラップ本体４の底面６の上に封水用外筒部７が安定設置され、封水用外筒部７が所定のセット位置にセットされる。
【００７６】
この時、排水トラップ本体４と封水用外筒部７との間に設けられた外筒保持部４１によって、封水用外筒部７は、排水トラップ本体４の内部の所定のセット位置に位置決め保持される。この封水用外筒部７の位置決め保持は、保持用リブ４２の側面保持部４４が封水用外筒部７の側面（下部）に当接して、半径方向に係止することなどによって行われる。
【００７７】
この際、保持用リブ４２の側面保持部４４の上方に設けたガイド部４７が、傾斜部４８または傾斜曲線状部４９に沿って封水用外筒部７を下方に案内することにより、封水用外筒部７を、容易に上記した所定のセット位置に位置決めさせることができる。
【００７８】
なお、排水口３の部分については、封水用外筒部７の下部に設けた外方延長部５３と、排水トラップ本体４の対応する内周面との間で、位置決め保持が行われる。
【００７９】
次に、封水用外筒部７の内部に排水導入用内筒部８を挿入配置する際には、排水導入用内筒部８の上端の本体取付部２６を、排水トラップ本体４の中間取付部１７の内側に形成された中間段差部２８に対して上方から嵌合させ、下方に対して係止させるようにする。この際、本体取付部２６の下面に形成されたシール設置用段差部３１と、中間段差部２８の段下面との間に、図示しない環状のシール部材２９が介在されるようにする。
【００８０】
更に、排水導入用内筒部８に設けた位置決め突起６２を、排水トラップ本体４の中間段差部２８に設けた突起受部６３に嵌合することにより、排水トラップ本体４に対して排水導入用内筒部８を周方向に位置決めさせるようにする。
【００８１】
最後に、排水トラップ本体４の上面の開口部２に蓋部材３８を取付ける際には、円板状の蓋部材３８を、排水トラップ本体４の上部取付部１８の内側に形成された上部段差部８１に対して上方から嵌合させ、下方に対して係止させるようにする。
【００８２】
この際、上部段差部８１の段差側面から内方へ向けて一体に突設されたロック用爪部８４に対し、蓋部材３８（の外枠部７４）の外周部に形成された爪案内部８５の縦方向案内部８６を上方から位置合わせして、ロック用爪部８４を上端部に達するまで縦方向案内部８６の内部に収容させる。その後、蓋部材３８を横方向案内部８７に沿って所要角度だけ回転させることによって、ロック用爪部８４を横方向案内部８７の先端側まで移動させ、ロックを掛けるようにする。
【００８３】
すると、横方向案内部８７は、緩い上がり勾配を有しているため、蓋部材３８は、下方へ向けて若干変位されることとなり、これによって、排水導入用内筒部８は上から押え付けられると共に、上記したシール部材２９は、排水導入用内筒部８の本体取付部２６を介して間接的に圧縮状態に締め込まれることとなる。このように、シール部材２９を間接的に締め込むようにしたことにより、シール部材２９と排水導入用内筒部８の本体取付部２６との間に、周方向の相対変位を生じることがない状態で、シール部材２９の締め込みを行うことができるので、シール部材２９の損傷や劣化を防止して、シール性能を長期間維持すること、及び、シール部材２９の部品寿命を延ばすことなどが可能となる。
【００８４】
（排水トラップ１の設置）  このようにして組み立てられた排水トラップ１を、好ましくは、給湯機（例えば、ＣＯ2冷媒ヒートポンプ給湯機や潜熱回収型給湯機）の温水タンクの排水口３の下方（真下）などに設置させるようにする。排水トラップ１は、排水トラップ本体４の軸線２１を、ほぼ上下方向へ向けた状態にして、温水タンクの下面と設置床との間の空間に設置される。この際、排水トラップ１は、排水トラップ本体４の排水管接続口１９が、温水タンクの外方へ向くように設置させる。そして、排水管接続口１９に対し、排水管を、排水を流下可能な所要の排水勾配を有して接続し、排水設備を構築させるようにする。
【００８５】
なお、上記したように、排水トラップ１が温水タンクの真下に設置される場合には、外部からのゴミの侵入を心配する必要がほとんどないので、ほぼ不要であると思われるが、例えば、排水トラップ１が、温水タンクの真下に設置されずに、少なくとも一部が外部に露出されたような、外部からのゴミの侵入が懸念される場合などには、蓋部材３８の上部に設けられた金網設置部７３に金網７２を取付けるようにする。
【００８６】
また、排水トラップ１の設置後には、排水トラップ１に水を入れることにより、封水構造部５を水で封水シールさせておくようにする。
【００８７】
（温水タンクからの湯抜き）  給湯機のメンテナンスのために温水タンクを湯抜きすると、温水タンクから排水されたお湯は、蓋部材３８の排水通過部７１を通り（金網７２を設置した場合には、先に金網７２を通過する）、排水導入用内筒部８の逆円錐筒状をした集水部２５によって集められて、排水導入用内筒部８の内側（入側封水部３６）へ入り、排水導入用内筒部８の下側の連通用隙間３４から、排水導入用内筒部８と封水用外筒部７との間（出側封水部３５）へ導入および分配され、封水用外筒部７の上端部から封水用外筒部７と排水トラップ本体４との間（排水用空間１１）へとオーバーフローされて、最後に、排水口３から排水管へと排水されることになる。
【００８８】
（排水設備及び排水トラップ１のメンテナンスや清掃）  排水設備及び排水トラップ１のメンテナンスや清掃は、以下のようにして行う。なお、温水タンクの真下に排水トラップ１が設置されている場合には、作業員は、温水タンクと設置床との間の狭い空間に、排水口３が設けられた側から腕を挿入しつつ、目視できない状態で作業を行うことになる。
【００８９】
先ず、作業員は、蓋部材３８を上記とは反対方向に回転して、上記とは反対の手順で排水トラップ本体４の開口部２から蓋部材３８を取外す。蓋部材３８は、排水トラップ１と、その上方の温水タンクとの間に、腕が挿入できる空間があれば、簡単に取外すことができる。
【００９０】
次に、排水導入用内筒部８を持上げるようにする。排水導入用内筒部８は、上端の本体取付部２６を、排水トラップ本体４の中間段差部２８から外す（係合解除する）ことで、排水トラップ本体４から引き抜かなくても、ほぼフリー状態となるので、簡単に退避方向などへと移動させることが可能となる。
【００９１】
そして、排水導入用内筒部８が、上記したフリー状態になると、外部から、中間段差部２８と本体取付部２６との間にできる隙間を通して封水用外筒部７に直接触れることができるようになるので、この状態で、封水用外筒部７を若干持上げて上記した退避方向へ移動させるようにする。この際、封水用外筒部７の持上げ量は、保持用リブ４２の側面保持部４４の高さを越える程度の、ほんの僅かの量で良い。これにより、保持用リブ４２の側面保持部４４の上方に設けたガイド部４７に沿って封水用外筒部７の底壁部３３を案内し、封水用外筒部７を退避方向へと移動させることができる。
【００９２】
すると、封水用外筒部７は、排水トラップ本体４に当るまで退避方向へ移動させることができるので、封水用外筒部７と排水口３との間に、可能な限り大きな清掃作業スペースを確保することが可能となる。この場合、確保できる清掃作業スペースは、最大で、排水トラップ本体４の内周面と、封水用外筒部７の部分円筒状周壁部５５との間の組立時のクリアランス４３を倍にして、切欠状面壁部５６の切欠量６０を足した大きさとなる。こうしてできた清掃作業スペースを利用することにより、排水トラップ１のメンテナンスや、排水口３周辺や排水管などの排水設備の清掃作業などを行うことができる。なお、フリー状態になった排水導入用内筒部８については、可動範囲内で、封水用外筒部７と干渉して相互拘束を生じるようなことのない位置へと随時逃がすようにすれば良い。
【００９３】
このようにすることにより、排水トラップ１は、清掃作業やメンテナンスのために完全に分解したり、作業員が目視作業を行ったりするのが難しい状況に設置されているような場合であっても、排水トラップ本体４から、排水導入用内筒部８や封水用外筒部７を引き抜いたり取外したりすることなく、排水トラップ本体４の内部で、排水導入用内筒部８や封水用外筒部７を退避させた状態にするだけで、簡単に、排水トラップ１や排水設備に対する清掃作業やメンテナンスなどを行うことができる。
【００９４】
なお、排水トラップ１の上方に十分な空間が有ることにより、排水トラップ本体４から、排水導入用内筒部８や封水用外筒部７を引き抜いたり取外したりすることができるような場合には、排水トラップ本体４から排水導入用内筒部８や封水用外筒部７を取外して、清掃作業やメンテナンスを行うようにすれば良いことは勿論である。
【００９５】
また、メンテナンスの終了後には、排水トラップ１を、元通りに組み立てておくようにする。この際、上記したように、排水導入用内筒部８や封水用外筒部７が、排水トラップ本体４から完全に引き抜かれていない半組立状態となっており、また、封水用外筒部７と排水トラップ本体４との間には、安定用座部６５，６６や外筒保持部４１などのガイドとなる構造が備えられているので、比較的簡単に元の状態に組み立てることができる。
【００９６】
この実施例によれば、以下のような作用効果を得ることができる。
【００９７】
（１）上面に開口部２を有し、側面に排水口３を有する有底円筒容器状の排水トラップ本体４と、排水トラップ本体４の内部に設けられた封水構造部５とを備え、封水構造部５が、排水トラップ本体４の底面６側から上方へ向けて延設された封水用外筒部７と、封水用外筒部７の内部に上方から挿入配置された排水導入用内筒部８とを備えて、排水トラップ本体４の側面と封水用外筒部７との間に排水用空間１１が形成されると共に、封水用外筒部７の内側に封水用空間１２が形成された排水トラップ構造において、少なくとも封水用外筒部７が、排水トラップ本体４とは別部材にて構成され、封水用外筒部７が、メンテナンス時に、排水トラップ本体４の内部で、排水口３とは反対側へ退避可能に構成されたことによって、以下のような作用効果を得ることができる。
【００９８】
即ち、排水トラップ本体４とは別部材にて構成された封水用外筒部７を、メンテナンス時に、排水トラップ本体４の内部で、排水口３とは反対側へ退避させられるようにすることにより、排水口３と封水用外筒部７との間に十分大きな清掃作業スペースを確保することが可能となり、以て、排水口３およびその周辺の清掃を容易化することができる。この際、排水トラップ本体４から封水用外筒部７や、封水用外筒部７の内側の排水導入用内筒部８を取外すことなく、排水口３およびその周辺の清掃を行うことが可能である。なお、排水トラップ１の通常の使用時には、上記した清掃作業スペースを出現させる必要がないことは勿論である。
【００９９】
（２）上記において、封水用外筒部７が、部分円筒状周壁部５５と、切欠状面壁部５６とを有する切欠面付円筒形状を呈すると共に、排水導入用内筒部８が、部分円筒状周壁部５７と、切欠状面壁部５８とを有する切欠面付円筒形状を呈し、封水用外筒部７と排水導入用内筒部８とが、各切欠状面壁部５６，５８を排水口３へ向けて周方向の位置を合わせた状態で二重に配置されたことによって、以下のような作用効果を得ることができる。
【０１００】
即ち、封水用外筒部７を、部分円筒状周壁部５５と、切欠状面壁部５６とを有する切欠面付円筒形状として、切欠状面壁部５６が排水口３へ向いた状態で配置することにより、排水口３と切欠状面壁部５６との間に、切欠状面壁部５６の分の清掃作業スペースを（常時）確保して、排水口３の周辺の清掃を容易化することができる。
【０１０１】
加えて、共に切欠面付円筒形状を有する封水用外筒部７と排水導入用内筒部８とを、各切欠状面壁部５６，５８が排水口３へ向くと共に周方向の位置が合った状態で二重に配置することにより、メンテナンスのために封水用外筒部７を退避させる際に、封水用外筒部７が排水導入用内筒部８に干渉して相互拘束を起こすようなことが発生し難くなるため、また、封水用外筒部７の内側における排水導入用内筒部８の（半径方向に対する）可動範囲が拡がるため、退避時の、封水用外筒部７や排水導入用内筒部８の取扱いを容易化して、排水口３およびその周辺の清掃を、より一層容易化することができるようになる。
【０１０２】
そして、封水用外筒部７と排水導入用内筒部８とを、各切欠状面壁部５６，５８が排水口３へ向くと共に周方向の位置が合った状態で二重に配置することにより、両者間の間隙３２を周方向にほぼ一定で且つ最適な大きさとすることが可能となるため、部分的な排水の流れの悪化を防止すると共に、両者間の間隙３２を周方向にほぼ一定にするために、封水用外筒部７や排水トラップ本体４を大径化したり、または、排水導入用内筒部８を小径化したりするなどの必要がなくなるので、排水トラップ１を効率的でバランスの良いものとすることができる。
【０１０３】
（３）上記において、排水トラップ本体４の底面６に、上方に凸形状の安定用座部６５が設けられると共に、封水用外筒部７に、底壁部３３が設けられて、底壁部３３に、安定用座部６５と対応する、上方に凸形状の安定用座部６６が設けられ、両安定用座部６５，６６を合致させることにより、排水トラップ本体４の底面６に封水用外筒部７の底壁部３３が安定設置可能となるように構成されていることによって、以下のような作用効果を得ることができる。
【０１０４】
即ち、排水トラップ本体４の底面６に設けた安定用座部６５によって、排水トラップ本体４を安定して設置することができる。また、排水トラップ本体４の底面６に設けた安定用座部６５に、封水用外筒部７の底壁部３３に設けた安定用座部６６を合致させることにより、排水トラップ本体４の底面６の上に封水用外筒部７を安定設置することができる。
【０１０５】
なお、安定用座部６５，６６によって、排水トラップ本体４の底面６や、封水用外筒部７の底壁部３３の下面側に形成される凹部に対して、排水トラップ本体４および封水用外筒部７を射出成形する際の注入ゲートを設定することにより、排水トラップ本体４の底面６や、封水用外筒部７の底壁部３３の平坦な部分に対し、成形後にゲート痕が生じて、製品品質が低下したり、設置安定性が妨げられたりするのを防止することができる。
【０１０６】
（４）上記において、排水トラップ本体４上面の開口部２に対して蓋部材３８が着脱可能に設けられ、蓋部材３８が、排水を導入可能な排水通過部７１を有すると共に、排水通過部７１に、金網７２を設置可能な金網設置部７３が設けられたことによって、以下のような作用効果を得ることができる。
【０１０７】
即ち、排水トラップ本体４は、上面の開口部２に対して蓋部材３８を着脱可能に取付けることができる。この蓋部材３８は、排水通過部７１を通して排水トラップ本体４の内部に排水を導入するように機能する。更に、必要な場合に、排水通過部７１に設けられた金網設置部７３に金網７２を設置することによって、排水通過部７１からのゴミなどの侵入を積極的に防止することができるようになる。特に、金網７２を、蓋部材３８の上面側に設けた場合には、金網７２を蓋部材３８に対して上方から簡単に取付けることができるようになる。また、金網７２の設置、非設置を選択できる構成とすることができるようになる。
【実施例２】
【０１０８】
図１５〜図２７は、本発明の第２の実施例である。
【０１０９】
＜構成＞まず、構成について説明する。
この実施例は、上記第１の実施例を一部変形した変形例であり、以下のような特徴を備えている。
【０１１０】
（ａ）先ず、図１５、図１６に示すように、金網７２を蓋部材３８の下面側に設置する。
【０１１１】
この構成によって、金網７２は、蓋部材３８と排水導入用内筒部８の本体取付部２６との間に介在（あるいは挟持）されることとなる。そのために、例えば、金網設置部７３（金網設置用段差部７８）を、図１６に示すように、蓋部材３８の下面側に設けるようにする。または、図１５に示すように、金網設置部７３を、蓋部材３８の下面に当接される排水導入用内筒部８の本体取付部２６の上面に設けるようにする（図２０〜図２３も併せて参照のこと）。或いは、金網設置部７３は、蓋部材３８の下面側と、上記した本体取付部２６の上面との両方に分けて設けるようにする。
【０１１２】
ここで、金網設置部７３を、排水導入用内筒部８の本体取付部２６に設ける場合に、シール設置用段差部３１を利用して金網設置部７３を設けるようにすることができる。即ち、本体取付部２６の肉厚をほぼ一定（他の部分とほぼ等しい肉厚）にして、シール設置用段差部３１を設けることにより、本体取付部２６のシール設置用段差部３１の部分の上面側に金網設置部７３となる金網設置用段差部７８を同時に形成することが可能となる。これにより、シール設置用段差部３１と金網設置部７３とをまとめて形成することができるようになり、本体取付部２６の形状が合理化される。これに伴い、シール設置用段差部３１の位置が、上記実施例１の場合よりも若干内周側へ変更（移動）されることとなるが、この場合には、シール設置用段差部３１の位置の変更に合わせた形状のシール部材２９を用いることで、上記設計の変更に対処することが可能である。
【０１１３】
なお、この場合、図１７〜図１９に示すように、蓋部材３８は、外枠部７４のみで、桟状部分７５のないリング状のものとされている（但し、桟状部分７５はあっても良い）。また、蓋部材３８の上面側には、蓋部材３８を着脱する際の回動操作の手掛りとなる操作用突起９１が少なくとも１つ設けられている。この場合、操作用突起９１は、外枠部７４の上面および内周面側へ向けて突出するように一体形成されている。操作用突起９１は、好ましくは、蓋部材３８に対して偶力を付与し得るようにするために、蓋部材３８の直径方向に対して対を成すように設けられている。ここでは、外枠部７４に対し、周方向に９０度の間隔を有して複数対（２対、合計で４個）設けられている。
【０１１４】
（ｂ）次に、図２３に示すように、振動などの外力によって蓋部材３８が緩むのを抑制・防止可能な蓋緩み防止構造部９３を備えるようにする。
【０１１５】
言い換えると、排水トラップ本体４に取付けた状態で、圧縮されたシール部材２９による上向きの弾性力が作用される蓋部材３８に対して、振動などの外力によってロック機構部８２による蓋部材３８のロック状態が緩むのを抑制・防止可能な蓋緩み防止構造部９３を備えるようにしている。
【０１１６】
より具体的には、第１の蓋緩み防止構造部９３として、蓋部材３８の下面と、この蓋部材３８の下面に当接される排水導入用内筒部８の本体取付部２６の上面との間（当接面間）に、摩擦力発生・増大部９４が設けられるようにする。
【０１１７】
この摩擦力発生・増大部９４は、蓋部材３８（の外枠部７４）の下面と、この蓋部材３８の下面に当接される排水導入用内筒部８の本体取付部２６の上面との、少なくとも一方に形成された摩擦力発生・増大用の非平滑面部９５などとする。この非平滑面部９５は、振動などの外力によるロック機構部８２の緩みを抑制・防止するのに必要な摩擦力を確保できる程度の目の粗さを有する凹凸面形状部などによって構成される。この凹凸面形状部は、蓋部材３８を排水トラップ本体４から取外す際に、過大な力を要するようにならない程度の目の粗さを有するものとする。凹凸面形状部の最適な目の粗さについては、例えば、コンピュータ解析や、試作品を用いたトライアンドエラーなどを行うことによって得ることができる。
【０１１８】
また、図２４〜図２６に示すように、第２の蓋緩み防止構造部９３として、蓋部材３８に対するロック機構部８２を構成するロック用爪部８４と、爪案内部８５との間に、ロック機構部８２を固定状態に保持可能なロック固定部９６が設けられるようにする。
【０１１９】
このロック固定部９６は、ロック用爪部８４と爪案内部８５との一方に設けられた固定用突起部９７と、ロック用爪部８４と爪案内部８５との他方に設けられた突起受用凹部９８などによって構成される。固定用突起部９７と突起受用凹部９８とは、互いに嵌合、係止することによって、振動などの外力によるロック機構部８２の緩みを抑制・防止するのに必要な係止力を発生させるような形状および大きさのものとする。また、固定用突起部９７と突起受用凹部９８とは、嵌合および離合する際に、所要の節度感を発生することによって、ロック確認を行い得るようなものなどとするのが好ましい。固定用突起部９７と突起受用凹部９８とは、蓋部材３８を排水トラップ本体４から取外す際に、過大な力を要するようにならない程度の大きさを有するのものとする。固定用突起部９７と突起受用凹部９８との最適な大きささは、例えば、コンピュータ解析や、試作品を用いたトライアンドエラーなどを行うことによって得ることができる。
【０１２０】
この場合、上記したロック機構部８２の爪案内部８５は、突起形状のものとされている。この突起形状の爪案内部８５は、蓋部材３８の外周部に沿って、周方向へ所要の角度分だけ延びる側面視ほぼＬ字状を呈している。そして、このＬ字状の縦腕部の外側端部に対して縦方向案内部８６が形成されると共に、Ｌ字状の横腕部の上面に対して横方向案内部８７が形成されている。縦方向案内部８６は縦方向案内面（縦ガイド面）とされ、横方向案内部８７は横方向案内面（横ガイド面）とされている。横方向案内部８７は、蓋部材３８を取付ける際に、上記したシール部材２９を、圧縮状態に締め込み得るようにするために（シール圧縮機構）、Ｌ字状の縦腕部へ向かう緩い上がり勾配を有している（勾配付き横方向案内面部）。
【０１２１】
そして、この場合には、上記した固定用突起部９７は横方向案内部８７（の上面側）に設けられ（一体に突設形成され）、突起受用凹部９８はロック用爪部８４の下面側に設けられ（一体に凹設形成され）ている。但し、上記とは反対に、固定用突起部９７をロック用爪部８４の下面側に設け、突起受用凹部９８を横方向案内部８７（の上面側）に設けるようにしても良い。また、固定用突起部９７と突起受用凹部９８とは、それぞれ、ロック機構部８２によって蓋部材３８をロックした時に互いに嵌合、係止する位置に少なくとも１つずつ設けるようにする。或いは、固定用突起部９７と突起受用凹部９８とは、複数個（同数または異なる数でも良い）設けるようにすることもできる。
【０１２２】
なお、上記した第１の蓋緩み防止構造部９３と、第２の蓋緩み防止構造部９３とは、少なくともどちらか一方を設けるようにすれば良い。また、第１の蓋緩み防止構造部９３と、第２の蓋緩み防止構造部９３との両方を設ける場合には、両方合わせて、振動などの外力によるロック機構部８２の緩みを抑制・防止し得るように構成すれば良い。
【０１２３】
なお、上記以外の構成については、上記実施例のものと同じである。
【０１２４】
＜作用＞次に、この実施例の作用について説明する。
（排水トラップ１の組み立て）（排水トラップ１の設置）（温水タンクからの湯抜き）  これらの各項目については、金網７２を蓋部材３８の下面側に設置した点（蓋部材３８の前に金網７２を取付けるようにする点）と、蓋緩み防止構造部９３を機能させるようにする点以外は、上記実施例１の作用とほぼ同様なので、実施例１の記載をそのように読み替えるものとして、ここでの記載を省略する。なお、変更点については後述する。
（排水設備及び排水トラップ１のメンテナンスや清掃）  以下、この項目の手順について、図２７Ａから図２７Ｈを用いて簡単に説明する。なお、それ以外の内容については、上記実施例１の場合とほぼ同様なので、ここでの記載を省略する。
【０１２５】
先ず、作業員は、図２７Ａの状態から、蓋部材３８を取外し方向に回転してロック機構部８２を解除し、図２７Ｂに示すように、排水トラップ本体４の開口部２から蓋部材３８を取外して、図２７Ｃの金網７２が露出された状態とする。この際、作業員は、操作用突起９１を用いて蓋部材３８を操作する。
【０１２６】
次に、図２７Ｃの状態とされた排水トラップ本体４の開口部２から金網７２を取外し、図２７Ｄの排水導入用内筒部８が露出された状態とする。そして、図２７Ｄの状態から、図２７Ｅに示すように、排水導入用内筒部８を持上げるようにする。
【０１２７】
そして、排水導入用内筒部８が、持上げられてフリー状態になると、外部から、中間段差部２８と本体取付部２６との間にできる隙間を通して封水用外筒部７に直接触れることができるようになるので、図２７Ｆに示すように、封水用外筒部７を若干持上げて退避方向へ移動させるようにする。
【０１２８】
すると、封水用外筒部７は、排水トラップ本体４に当るまで退避方向へ移動させることができるので、封水用外筒部７と排水口３との間に、可能な限り大きな清掃作業スペースを確保することが可能となる。こうしてできた清掃作業スペースに対し、図２７Ｇに示すように、メンテナンス工具Ｔを通して、図２７Ｈに示すように、排水トラップ１のメンテナンスや、排水口３周辺や排水管などの排水設備の清掃作業などを行う。
【０１２９】
そして、この実施例によれば、以下のような作用効果を得ることができる。
【０１３０】
（ａ）金網７２を蓋部材３８の下面側に設置することによって、金網７２を蓋部材３８（の外枠部７４と、排水導入用内筒部８の本体取付部２６との間）で押えて確実に保持することができるようになる。これにより、金網７２を固定すると共に、金網７２の外れを防止することができる。なお、この構造とした場合でも、金網７２の設置・非設置を選択することができる。
【０１３１】
（ｂ）蓋緩み防止構造部９３を備えることにより、振動などの外力によって蓋部材３８が緩むのを抑制・防止することができる。即ち、排水トラップ本体４に取付けた状態で、圧縮されたシール部材２９による上向きの弾性力が作用されている蓋部材３８に対し、蓋緩み防止構造部９３を備えることにより、振動などの外力によってロック機構部８２による蓋部材３８のロック状態が緩む（徐々に緩んで行く）のを抑制・防止することができる。
【０１３２】
より具体的には、蓋部材３８の下面と、この蓋部材３８の下面に当接される排水導入用内筒部８の本体取付部２６の上面との間に、第１の蓋緩み防止構造部９３として、摩擦力発生・増大部９４を設けることにより、摩擦力発生・増大部９４によって発生・増大された摩擦力を利用して、蓋部材３８のロック状態が緩むのを抑制・防止することができる。この摩擦力発生・増大部９４（非平滑面部９５）は、排水トラップ本体４に蓋部材３８を取付ける際に、蓋部材３８の下面と、排水導入用内筒部８の本体取付部２６の上面とが当接することによって機能することになる。
【０１３３】
また、第２の蓋緩み防止構造部９３として、蓋部材３８のロック機構部８２を構成するロック用爪部８４と、爪案内部８５との間に、ロック機構部８２を固定可能なロック固定部９６を設けることにより、ロック固定部９６の固定力を利用して蓋部材３８のロック状態が緩むのを抑制・防止することができる。このロック固定部９６は、排水トラップ本体４に蓋部材３８を取付ける際に、固定用突起部９７と突起受用凹部９８とが嵌合すること（或いは、嵌合が解除されない係止し続けること）によって機能することになる。
【０１３４】
以上、この発明の実施例を図面により詳述してきたが、文中に「等」の用語がある場合には、同等のものを含むという意味で用いられている。また、「ほぼ」「約」「程度」などの用語がある場合には、常識的に認められる範囲や精度のものを含むという意味で用いられている。
【図面の簡単な説明】
【０１３５】
【図１】本発明の第１の実施例にかかる排水トラップ構造の縦断面図である。
【図２】図１の排水トラップ本体の縦断面図である。
【図３】図２の平面図である。
【図４】図２の側面図である。
【図５】図２のロック用爪部を示す部分拡大縦断面図である。
【図６】図１の封水用外筒部の縦断面図である。
【図７】図６の平面図である。
【図８】図１の排水導入用内筒部の縦断面図である。
【図９】図８の平面図である。
【図１０】図１の蓋部材の縦断面図である。
【図１１】図１０の平面図である。
【図１２】図１０の側面図である。
【図１３】図１２の縦溝部の部分拡大図である。
【図１４】図１２の横溝部端部の部分拡大図である。
【図１５】本発明の実施例２にかかる排水トラップ構造の分解斜視図である。
【図１６】図１５を斜め下側から見た分解斜視図である。
【図１７】図１５の蓋部材の平面図である。
【図１８】図１７の側方断面図である。
【図１９】図１７の側面図である。
【図２０】図１５の排水導入用内筒部の縦断面図である。
【図２１】図２０の平面図である。
【図２２】図２０の底面図である。
【図２３】第１の蓋緩み防止構造部の部分拡大図である。
【図２４】第２の蓋緩み防止構造部を示す分解図である。
【図２５】図２４の蓋部材の部分拡大図である。
【図２６】図２４の排水トラップ本体の部分拡大図である。
【図２７Ａ】排水トラップの分解工程を示す斜視図である。
【図２７Ｂ】図２７Ａに続く分解工程図である。
【図２７Ｃ】図２７Ｂに続く分解工程図である。
【図２７Ｄ】図２７Ｃに続く分解工程図である。
【図２７Ｅ】図２７Ｄに続く分解工程図である。
【図２７Ｆ】図２７Ｅに続く分解工程図である。
【図２７Ｇ】図２７Ｆに続く分解工程図である。
【図２７Ｈ】図２７Ｇに続く分解工程図である。
【符号の説明】
【０１３６】
１    排水トラップ
２    開口部
３    排水口
４    排水トラップ本体
５    封水構造部
６    底面
７    封水用外筒部
８    排水導入用内筒部
１１  排水用空間
１２  封水用空間
３３  底壁部
３８  蓋部材
５５  部分円筒状周壁部
５６  切欠状面壁部
５７  部分円筒状周壁部
５８  切欠状面壁部
６５  安定用座部
６６  安定用座部
７１  排水通過部
７２  金網
７３  金網設置部
【図１】
2010090690.tif 000003
【図２】
2010090690.tif 000004
【図３】
2010090690.tif 000005
【図４】
2010090690.tif 000006
【図５】
2010090690.tif 000007
【図６】
2010090690.tif 000008
【図７】
2010090690.tif 000009
【図８】
2010090690.tif 000010
【図９】
2010090690.tif 000011
【図１０】
2010090690.tif 000012
【図１１】
2010090690.tif 000013
【図１２】
2010090690.tif 000014
【図１３】
2010090690.tif 000015
【図１４】
2010090690.tif 000016
【図１５】
2010090690.tif 000017
【図１６】
2010090690.tif 000018
【図１７】
2010090690.tif 000019
【図１８】
2010090690.tif 000020
【図１９】
2010090690.tif 000021
【図２０】
2010090690.tif 000022
【図２１】
2010090690.tif 000023
【図２２】
2010090690.tif 000024
【図２３】
2010090690.tif 000025
【図２４】
2010090690.tif 000026
【図２５】
2010090690.tif 000027
【図２６】
2010090690.tif 000028
【図２７Ａ】
2010090690.tif 000029
【図２７Ｂ】
2010090690.tif 000030
【図２７Ｃ】
2010090690.tif 000031
【図２７Ｄ】
2010090690.tif 000032
【図２７Ｅ】
2010090690.tif 000033
【図２７Ｆ】
2010090690.tif 000034
【図２７Ｇ】
2010090690.tif 000035
【図２７Ｈ】
2010090690.tif 000036